(57)【要約】【課題】掘削残土の削減を図るとともに支持杭とコンクリートとの一体化を図る。【解決手段】第１の工程で、大径の孔底部２０Ａを有する杭孔２０を掘削すると、掘削残土Ｇが発生する。次に、第２の工程で、拡大孔底部２０ＡにコンクリートＣを打設する。次に、第３の工程で、杭孔２０に鋼管２１を降下させこの鋼管２１の下部２２Ａを打設されたコンクリートＣに埋め込む。鋼管２１の下部２２Ａには、内外周面に径方向に突出する螺旋状リブ２３が形成される。孔底部２０ＡにコンクリートＣが打設され鋼管２１の下部２２Ａが埋め込まれて根固めされると、次に、第４の工程で、掘削残土Ｇを杭孔２０内に埋め戻し基礎杭が築造されるようになっている。【選択図】　　　　図１
2004092025.tif 000002
【特許請求の範囲】
【請求項１】
掘削して形成された杭孔内に支持杭を配設して築造される基礎杭において、杭孔の孔底部の径を拡大して形成し、支持杭には、径方向に突出する一体化部を形成し、上記杭孔には拡大孔底部またはこの拡大孔底部より上方の所定の高さまでコンクリートを打設し、支持杭の一体化部が形成された部位を打設されたコンクリートに埋め込み、打設コンクリート上に掘削残土または固化材が添加された掘削残土のうち少なくともいずれか一方を埋め戻したことを特徴とする基礎杭。
【請求項２】
支持杭は孔径とほぼ同一または若干大径に形成され、杭孔に圧入されて建て込まれることを特徴とする請求項１に記載の基礎杭。
【請求項３】
支持杭は孔径より小径に形成され、支持杭と杭孔との間には、固化材が充填されることを特徴とする請求項１に記載の基礎杭。
【請求項４】
支持杭を、接続されて建て込まれる鋼管、躯体の柱またはプレキャストコンクリートパイルのうちいずれかを選択して用いることを特徴とする請求項１ないし３のうちいずれか１に記載の基礎杭。
【請求項５】
一体化部を、中空円筒状支持杭の内外周面に螺旋状に形成されたリブにより構成したことを特徴とする請求項４に記載の基礎杭。
【請求項６】
支持杭を、鋼管から構成するとともに、一体化部を、この鋼管の下部に揺動可能に収納されて設けられ、鋼管建込み時、鋼管から拡大孔底部に突出しコンクリートとの接触面積を増大させる拡開プレートにより構成したことを特徴とする請求項１ないし５のうちいずれか１に記載の基礎杭。
【請求項７】
杭孔を掘削し孔底部を拡大して形成する第１の工程と、この杭孔に拡大孔底部またはこの拡大孔底部より上方の所定の高さまでコンクリートを打設する第２の工程と、所定の部位に径方向に突出する一体化部が形成された支持杭を上記杭孔に降ろし、この支持杭の一体化部が形成された部位を、杭孔のコンクリートが打設された位置より下方に配置してコンクリートに埋め込む第３の工程と、杭孔内に掘削残土または固化材が添加された掘削残土のうち少なくともいずれか一方を埋め戻す第４の工程とを備えたことを特徴とする基礎杭の築造方法。
【請求項８】
支持杭を孔径とほぼ同一または若干大径に形成するとともに、第３の工程時、支持杭を杭孔に圧入することを特徴とする請求項７に記載の基礎杭の築造方法。
【請求項９】
支持杭を孔径より小径に形成するとともに、第４の工程時、支持杭と杭孔との間には、固化材を充填することを特徴とする請求項７に記載の基礎杭の築造方法。
【発明の詳細な説明】
【０００１】
【産業上の利用分野】
本発明は、掘削された杭孔に支持杭を配設して築造される基礎杭とその築造方法に関するものである。
【０００２】
【従来の技術】
従来、場所打ち鋼管コンクリート杭の施工方法として、例えば、図５に示すような鋼管同時建込み工法や図６に示すような同径掘削工法が知られている。図５に示す鋼管同時建込み工法では、まず、アースドリル工法、リバース工法等の工法により杭孔２の掘削を行う（図５の（Ａ）参照）。鋼管挿入部２Ａの掘削径Ｄ１は、鋼管３の外径Ｄ２＋２００ｍｍ以上とし、定尺の鋼管３を順次地上で接合して（図５の（Ｂ）参照）建て込む（図５の（Ｃ）参照）。その後、鋼管３内にコンクリートＣを打設し（図５の（Ｄ）参照）、鋼管３上部よりコンクリートＣをオーバーフローさせ、必要な場合にはバイブレータ５を使用して鋼管３外周と杭孔２内面との間にコンクリートＣを充填するようにしている（図５の（Ｅ）参照）。
【０００３】
また、図６に示すような同径掘削工法では、まず、アースドリル工法、リバース工法等の工法により杭孔１２の掘削を行う（図６の（Ａ）参照）。次に、鋼管挿入部１２Ａの掘削径Ｄ３と同径またはそれより若干大きな径Ｄ４の鋼管１３をパワージャッキ（バイブロハンマー、ケリーバ）１６により圧入する（図６の（Ｂ）参照）。その後、鋼管１３内面を清掃し（図６の（Ｃ）参照）、スライム処理を行い（図６の（Ｄ）参照）、コンクリートＣの打設を行うようになっている（図６の（Ｅ）参照）。
【０００４】
【発明が解決しようとする課題】
ところで、上記従来の基礎杭の築造方法では、いずれも鋼管内あるいは杭孔空間全部にコンクリートＣを打設するようにしている。このため、杭孔掘削時発生する掘削残土を廃棄せざるを得ず、廃棄に伴いコストアップを招いたり、残土廃棄により環境に負担をかけるという問題がある。また、鋼管内にコンクリートＣを打設するため、杭築造にコストがかかったり、築造完了までに時間がかかるという問題がある。
【０００５】
本発明は上記課題を解決するためになされたもので、基礎杭築造時に発生する掘削残土を大幅に減少させることができるとともに杭築造に要する作業時間を短縮しコストダウンを図ることができる基礎杭とその築造方法を提供するものである。
【０００６】
【課題を解決するための手段】
本発明に係る基礎杭は、掘削して形成された杭孔内に支持杭を配設して築造される基礎杭において、杭孔の孔底部の径を拡大して形成し、支持杭には、径方向に突出する一体化部を形成し、上記杭孔には拡大孔底部またはこの拡大孔底部より上方の所定の高さまでコンクリートを打設し、支持杭の一体化部が形成された部位を打設されたコンクリートに埋め込み、打設コンクリート上に掘削残土または固化材が添加された掘削残土のうち少なくともいずれか一方を埋め戻したものである。
【０００７】
本発明に係る基礎杭では、掘削して形成された杭孔内に支持杭を配設して築造される基礎杭において、杭孔の孔底部の径を拡大して形成し、支持杭には、径方向に突出する一体化部を形成し、上記杭孔には拡大孔底部またはこの拡大孔底部より上方の所定の高さまでコンクリートを打設し、支持杭の一体化部が形成された部位を打設されたコンクリートに埋め込み、打設コンクリート上に掘削残土または固化材が添加された掘削残土のうち少なくともいずれか一方を埋め戻したことにより、支持杭がコンクリートにより根固めされると、支持杭は一体化部によりコンクリートと一体化されるので、コンクリート下面で先端支持力を担うようになる。このため、支持杭はコンクリートによる根固めで杭性能が確保されるので、杭孔のコンクリート上に、掘削残土または固化材が添加された掘削残土のうち少なくともいずれか一方が埋め戻されても、杭性能に影響がない。このため、従来のように杭孔掘削時発生した掘削残土を廃棄する必要がなく、発生した掘削残土がそのままあるいは固化材が添加されて再び孔内に埋め戻されるので、基礎杭築造後に残る掘削残土が大幅に減少する。また、杭孔の孔底部は拡大されて形成されているため、コンクリートが打設されると、根固め部が大径化されることになる。このため、支持杭の支持力が増大されるので、支持杭を小径化することができる。従って、杭径を小さくでき、発生する掘削残土の量を減少させることができる。
【０００８】
請求項２に係る基礎杭は、支持杭は孔径とほぼ同一または若干大径に形成され、杭孔に圧入されて建て込まれるようにしたものである。
【０００９】
請求項２に係る基礎杭では、支持杭は孔径とほぼ同一または若干大径に形成され、杭孔に圧入されて建て込まれるようにしたので、支持杭と杭孔との間に空隙を生じさせることなく基礎杭が築造される。
【００１０】
請求項３に係る基礎杭は、支持杭は孔径より小径に形成され、支持杭と杭孔との間には、固化材が充填されるようにしたものである。
【００１１】
請求項３に係る基礎杭では、支持杭は孔径より小径に形成され、支持杭と杭孔との間には、固化材が充填されるようにしたので、支持杭はたとえ孔径より小径であっても、杭性能を確実に保持することができる。
【００１２】
請求項４に係る基礎杭は、支持杭を、接続されて建て込まれる鋼管、躯体の柱またはプレキャストコンクリートパイルのうちいずれかを選択して用いるようにしたものである。
【００１３】
請求項４に係る基礎杭では、支持杭を、接続されて建て込まれる鋼管、躯体の柱またはプレキャストコンクリートパイルのうちいずれかを選択して用いるようにしたので、設計の自由度が増大する。
【００１４】
請求項５に係る基礎杭は、一体化部を、中空円筒状支持杭の内外周面に螺旋状に形成されたリブにより構成したものである。
【００１５】
請求項５に係る基礎杭では、一体化部を、中空円筒状支持杭の内外周面に螺旋状に形成されたリブにより構成したので、中空円筒状支持杭のコンクリートに埋設された部位は内外周面で径方向に突出する螺旋状リブにより一体化される。このため、支持杭とコンクリートとが異なる材質であっても、一体化し易い。
【００１６】
請求項６に係る基礎杭は、支持杭を、鋼管から構成するとともに、一体化部を、この鋼管の下部に揺動可能に収納されて設けられ、鋼管建込み時、鋼管から拡大孔底部に突出しコンクリートとの接触面積を増大させる拡開プレートにより構成したものである。
【００１７】
請求項６に係る基礎杭では、支持杭を、鋼管から構成するとともに、一体化部を、この鋼管の下部に揺動可能に収納されて設けられ、鋼管建込み時、鋼管から拡大孔底部に突出しコンクリートとの接触面積を増大させる拡開プレートにより構成したので、異なる部材である鋼管とコンクリートとが、鋼管下部から外側に突出し拡大孔底部でコンクリートに埋め込まれる拡開プレートにより一体化されるので、鋼管とコンクリートとの接触面積が増大し、より一体化し易くなる。
【００１８】
本発明に係る基礎杭の築造方法は、杭孔を掘削し孔底部を拡大して形成する第１の工程と、この杭孔に拡大孔底部またはこの拡大孔底部より上方の所定の高さまでコンクリートを打設する第２の工程と、所定の部位の内外周面に径方向に突出する一体化部が形成された支持杭を上記杭孔に降ろし、この支持杭の一体化部が形成された部位を、杭孔のコンクリートが打設された位置より下方に配置してコンクリートに埋め込む第３の工程と、杭孔内に掘削残土または固化材が添加された掘削残土のうち少なくともいずれか一方を埋め戻す第４の工程とを備えたものである。
【００１９】
本発明に係る基礎杭の築造方法では、杭孔を掘削し孔底部を拡大して形成する第１の工程と、この杭孔に拡大孔底部またはこの拡大孔底部より上方の所定の高さまでコンクリートを打設する第２の工程と、所定の部位の内外周面に径方向に突出する一体化部が形成された支持杭を上記杭孔に降ろし、この支持杭の一体化部が形成された部位を、杭孔のコンクリートが打設された位置より下方に配置してコンクリートに埋め込む第３の工程と、杭孔内に掘削残土または固化材が添加された掘削残土のうち少なくともいずれか一方を埋め戻す第４の工程とを備えたことにより、支持杭の一体化部が形成された部位がコンクリートにより根固めされ、支持杭とコンクリートとが一体化部により一体化されて支持杭はコンクリート下面で先端支持力を担うようになる。このため、支持杭はコンクリートによる根固めで杭性能が確保されるので、根固め後は、杭孔内に掘削残土または固化材が添加された掘削残土のうち少なくともいずれか一方が埋め戻される。従って、従来のように杭孔掘削時発生した掘削残土を廃棄する必要がなく、発生した掘削残土がそのままあるいは固化材が添加されて再び孔内に埋め戻されるので、基礎杭築造後に残る掘削残土が大幅に減少する。また、従来のように杭孔空間すべてにコンクリートを打設する必要がなく、掘削残土等を埋め戻すだけで基礎杭が築造されるので築造時間が短縮される。さらに、杭孔の孔底部は拡大されて形成されているため、コンクリートが打設されると、根固め部が大径化されることになる。このため、支持杭の支持力が増大されるので、支持杭を小径化することができる。従って、杭径を小さくでき、発生する掘削残土の量を減少させることができる。
【００２０】
請求項８に係る基礎杭の築造方法は、支持杭を孔径とほぼ同一または若干大径に形成するとともに、第３の工程時、支持杭を杭孔に圧入するようにしたものである。
【００２１】
請求項８に係る基礎杭の築造方法では、支持杭を孔径とほぼ同一または若干大径に形成するとともに、第３の工程時、支持杭を杭孔に圧入するようにしたので、第３の工程終了後、支持杭と杭孔との間に空隙生じることがない。このため、支持杭の建込み後直ちに掘削残土または固化材が添加された掘削残土を埋め戻すことができるので作業効率が向上する。
【００２２】
請求項９に係る基礎杭の築造方法は、支持杭を孔径より小径に形成するとともに、第４の工程時、支持杭と杭孔との間には、固化材を充填するようにしたものである。
【００２３】
請求項９に係る基礎杭の築造方法では、支持杭を孔径より小径に形成するとともに、第４の工程時、支持杭と杭孔との間には、固化材を充填するようにしたので、支持杭はたとえ孔径より小径であっても、杭性能を確実に保持することができる。このため、小径の支持杭を用いることができる。
【００２４】
【発明の実施の形態】
以下、図面に示す実施の形態により本発明を説明する。図１の（Ａ）ないし（Ｄ）はそれぞれ、本発明の一実施の形態に係る基礎杭の築造工程を順に示す工程図である。この実施の形態に係る基礎杭の築造方法について、図１の（Ａ）ないし（Ｄ）に基づいて説明する。図１の（Ａ）ないし（Ｄ）に示す工法は、鋼管（支持杭）を杭孔に圧入する点で上記従来の同径掘削工法に準じるものである。まず、現場に図示しない掘削機械を搬入して組み立て、図１の（Ａ）に示すように、杭孔２０を支持層９に達する所定の深度（例えば、６０ないし７０ｍ）まで掘削する。次に、上記掘削機械に代えて図示しない拡底掘削機を据え付け、孔底部２０Ａの杭径を拡大させて掘削し根固め部を形成する。拡大孔底部２０Ａが根固め部として支持層９に形成されると、図示しない拡底掘削機を引き上げる。以上の工程は、本実施の形態に係る基礎杭の築造工程のうち拡大孔底部２０Ａを有する杭孔２０を掘削する第１の工程である。この第１の工程で掘削残土Ｇが発生する。発生した掘削残土Ｇは、一時的に土捨て場に運搬して管理する。
【００２５】
次に、図１の（Ｂ）に示すように、この拡大孔底部２０Ａに根固め用のコンクリートＣを打設する（第２の工程）。次に、図示しない圧入機械により鋼管（支持杭）２１を、杭孔２０内に建て込む。鋼管２１は、定尺（およそ８ｍ〜１０ｍ）もので、現場で杭孔２０の深さに応じて順次溶接して継ぎ足し建て込まれる。継ぎ足された延長鋼管２１は、図１の（Ｂ）に示すように、下部２２Ａが拡大孔底部２０Ａに配置されるように降ろされ、下部２２ＡがコンクリートＣに埋め込まれ根固めが行われる（第３の工程）。
【００２６】
鋼管２１は、杭径Ｄ５とほぼ同径またはそれより若干大きな径を有し、杭孔２０への建込み時、杭孔２０内面に接するか杭孔２０内面との間に微小な空隙を有するようになっている。また、鋼管２１は、図１の（Ｂ）に示すように、主に鋼材から成型され、所定の厚みを有する円筒状芯部２２と、この円筒状芯部２２の下部２２Ａの内外周面に螺旋状に形成されたリブ（一体化部）２３とを備えて構成される。すなわち、下部２２Ａの外周面に形成されるリブ２３は、径方向外側に、下部２２Ａの内周面に形成されるリブ２３は径方向内側にそれぞれ突出されるようになっている。このため、リブ２３の形成された下部２２Ａが拡大孔底部２０ＡでコンクリートＣに埋め込まれ、根固め部２４で根固めされると、リブ２３により鋼管２１とコンクリートＣが一体化されるようになっている。
【００２７】
この基礎杭築造に用いられる鋼管２１は、従来の杭築造に用いられる鋼管３、１３（図３の（Ｅ）、図４の（Ｅ）参照）が内部にソイルセメント柱（またはコンクリート柱）を形成することにより杭としての支持力を担うものであるのに対し、コンクリートＣにより下端部２２Ａが根固めされると、鋼管２１とコンクリートＣとが一体となって基礎杭としての支持力を担い、コンクリートＣの下面が先端支持力を担うように設計されている。
【００２８】
第３の工程で鋼管２１の根固めが行われると、次に、図１の（Ｃ）に示すように、先の杭孔掘削工程（上記第１の工程）で発生した掘削残土Ｇを、鋼管２１内に埋め戻し、基礎杭が築造される（第４の工程）。基礎杭築造後、図１の（Ｄ）に示すように、杭頭部２０ＢにコンクリートＣが打設されフーチング（ｆｏｏｔｉｎｇ）と接続されるようになっている。基礎杭の先端支持力は、コンクリートＣ下面により担うようになっているので、杭孔２０に建て込まれた鋼管２１の内部に掘削残土Ｇが投入されても、基礎杭の杭性能に影響を与えることがない。
【００２９】
このように本実施の形態に係る基礎杭の築造方法では、図１の（Ａ）ないし（Ｄ）に示すように、杭孔２０を掘削し孔底部２０Ａを拡大して形成する第１の工程と、この拡大された孔底部２０ＡにコンクリートＣを打設する第２の工程と、下部２２Ａの内外周面に径方向に突出する螺旋状リブ２３が形成された鋼管２１を杭孔２０に降ろし、この鋼管２０の下部２２Ａを孔底部２０Ａに配置してコンクリートＣに埋め込む第３の工程と、鋼管２１内に掘削残土Ｇを埋め戻す第４の工程とにより基礎杭が築造されるようになっている。
【００３０】
このため、上記築造方法により築造された基礎杭は、杭孔２０に建て込まれた鋼管２１の下部２２ＡがコンクリートＣにより根固めされるとともに、杭孔２０には、根固め部２４上方に掘削残土Ｇが埋め戻される。基礎杭の支持力は鋼管２１とこの鋼管２１と一体化されたコンクリートＣとにより担われることになるので、根固め部２４を除く杭孔２０の空間を掘削残土Ｇで埋め戻すことができるようになっている。根固め部２４には、鋼管下部２２Ａの内外周両面に形成された螺旋状リブ２３がコンクリートＣに埋設されるようになっている。また、杭孔２０は孔底部２０Ａの径が拡大して形成され、この拡径部を根固め部２４としているので先端支持力が増大されるようになっている。
【００３１】
次に、上記築造方法により築造された基礎杭の作用について築造方法の工程に基づいて説明する。図１の（Ａ）に示すように、第１の工程で杭孔２０が掘削され、杭孔２０の孔底部２０Ａを拡大して形成し、次に、図１の（Ｂ）に示すように、第２の工程で拡大された孔底部２０ＡにコンクリートＣを打設し、次に、図１の（Ｂ）に示すように、第３の工程で鋼管２１を杭孔２０に圧入または吊り降ろし、この鋼管２０の下部２２Ａを孔底部２０Ａに配置してコンクリートＣに埋め込み根固めを行い、その後、図１の（Ｃ）に示すように、第４の工程で鋼管２１内に掘削残土Ｇを埋め戻し、基礎杭の築造が完了する。
【００３２】
根固めにより基礎杭の支持力は鋼管２１とこの鋼管２１と一体化されたコンクリートＣとにより担われることになるので、コンクリートＣの打設された根固め部２４上方の杭孔２０には、掘削残土Ｇを投入しても基礎杭の支持力に影響を与えることがない。このため、根固め部２４上方の杭孔２０には、従来のように固化材を投入する必要がなく、掘削残土Ｇを投入して埋め戻すことができる。このため、より多量の掘削残土Ｇを埋め戻すことができ、杭築造後に残る掘削残土Ｇの量を減少させることができる。根固め部２４では、鋼管下部２２Ａのリブ２３がコンクリートＣに埋設されることにより、杭頭荷重に対する先端支持力を確保することができる。また、鋼管２１は、芯部２２により周面摩擦力および水平支持力を確保することができるようになっている。このように、本実施の形態に係る基礎杭の築造方法およびその方法により築造された基礎杭では、掘削残土Ｇの量を減じることができる。また、根固め後、掘削残土Ｇを埋め戻す作業だけで築造を完了することができるので、作業効率が向上する。また、固化材の使用量を減らすことができるので、コストダウンを図ることができる。
【００３３】
なお、上記実施の形態では、埋め戻しに杭孔掘削時発生する掘削残土Ｇを用いているがこれに限られるものではなく、この掘削残土Ｇに固化材（グラウト、モルタル、コンクリートＣ等）を添加し撹拌混合した固化材添加処理をした掘削残土Ｇ１を用いるようにしてもよい。
【００３４】
次に、上記基礎杭の一変形例について説明する。この変形例に係る基礎杭は、上記実施の形態に係る基礎杭が、鋼管２１の径を、杭孔２０とほぼ同径（Ｄ５）または若干大きく形成し、鋼管２１を杭孔２０に圧入して建て込むようにしているのに対し、図２の（Ａ）に示すように、鋼管３１の径（Ｄ７）を杭孔３０の径（Ｄ８）より小径に形成し、鋼管３１と杭孔３０との間におよそ１０〜２０ｃｍ位の空隙Ｓ１を形成するようにした点が異なっている（従来技術の鋼管同時建込み工法参照）。すなわち、拡大孔底部３０ＡにコンクリートＣが打設されると、杭孔３０より小径の鋼管３１が吊り降ろされ、螺旋状リブ２３が内外周面に形成された下部３２Ａを杭底部３２Ａに配置しコンクリートＣに埋め込み根固めするようになっている。そして、図２の（Ｂ）に示すように、次の工程で、鋼管３１の内部には掘削残土Ｇを埋め戻し、鋼管３１と杭孔３０との間の空隙Ｓ１には、固化材（グラウト、モルタル、コンクリートＣ等）を充填して基礎杭を築造するようになっている。このため、図２の（Ｃ）に示すように、鋼管３１の外周は固化材で固められるので、鋼管３１はたとえ孔径Ｄ８より小径であっても、築造された基礎杭は、杭性能を確実に保持することができる。従って、より小径の鋼管を用いることができる。
【００３５】
図３の（Ａ）ないし（Ｄ）は上記実施の形態に係る基礎杭の変形例に係るもので、上記実施の形態に係る基礎杭が、コンクリートを拡大孔底部２０Ａ、３０Ａに打設するようにしているのに対し、拡大孔底部より上方の任意の高さまでコンクリートを打設した点が異なっている。このように構成することにより、鋼管を小径化してコストダウンを図るようにしている。例えば、図３の（Ａ）では、杭長の約１／３の位置、図３の（Ｂ）では、杭長の１／２よりも上方の位置に達するまでコンクリートＣを打設し、根固めするようにしている。また、図３の（Ｂ）に示す基礎杭では、鋼管５１に鉄筋かご５２を接続して建て込むようにしている。
【００３６】
また、上記実施の形態および各変形例では、支持杭を接続された鋼管２１、３１、４１、５１から構成するようにしているがこれに限られるものではなく、図３の（Ｃ）に示すように、躯体の柱６１をコンクリートの打設された杭孔に吊り降ろし、支持杭として用いるようにしてもよい。この場合も打設されたコンクリートＣ上には、掘削残土Ｇまたは固化材の添加された掘削残土Ｇ１が埋め戻される。図３の（Ｄ）に示す基礎杭では、支持杭として鋼管２１、３１、４１、５１や躯体の柱６１に代えて中空円筒状のプレキャストコンクリートパイル（ＰＣパイル）７１を用いるようにしている。なお、躯体の柱６１には、コンクリートＣに埋設される部位に螺旋状リブ６２が形成され、コンクリートと一体化されるようになっている。ＰＣパイル７１は、打設コンクリートと一体化し易いのでリブを設けていないが、一体化をより確実にするため、リブを設けるようにしてもよい。図３の（Ａ）、（Ｃ）、（Ｄ）に示す各変形例では、支持杭が杭孔の径より小径となっているがこれに限られるものではなく、上記実施の形態と同様に、孔径とほぼ同一または若干大径として、圧入するようにしてもよいことはいうまでもない。
【００３７】
図４の（Ａ）および（Ｂ）に示す基礎杭は、鋼管の一体化部を、鋼管８１の所定の部位で径方向に突出する螺旋状の内外周リブ８３と、鋼管８１の下端部に設けられた拡開プレート８２とにより構成している。この拡開プレート８２は、図４の（Ａ）および（Ｂ）に示すように、鋼管８１に上端８２Ａが揺動可能に連結されるとともに、スリット８２Ｂを介して拡開機構８４に連結されたプレートで、拡開機構８４の非動作時には、鋼管８１内部に収納され、拡開機構８４の動作時、鋼管８１の下端部に周方向に等間隔で形成された縦スリット８５から外方に突出されるようになっている。
【００３８】
拡開機構８４は、同寸の４本のリンクをそれぞれピンにより枢着し、上端のピン８４Ａを鋼管８１内に架け渡された支持棒８４Ｂに取り付け、下端のピン８４Ｃには下方に延びる押し上げロッド８４Ｄが取り付けられるとともに、中間のピン８４Ｅ、８４Ｆが拡開プレート８２のスリット８２Ｂに摺動可能に連結されて構成される。押し上げロッド８４Ｄは、常時、鋼管８１の下端から下方に突出してリンクが閉じた状態となっている。鋼管８１がコンクリートＣの打設された杭孔８０の孔底に降下されると、押し上げロッド８４Ｄは孔底に当接してリンクを上方に押し上げる。リンクは上端ピン８４Ａにより上方への変位が規制されているので、開かれる。このため、中間ピン８４Ｅ、８４Ｆがリンクの拡開に伴って拡開プレート８２を縦スリット８５から外側に押し出し、図４の（Ｂ）に示すように、拡大孔底部８０Ａで拡開プレート８２が開いた状態でコンクリートＣに埋め込まれる。
【００３９】
このように、一体化部を、この鋼管８１の下部に揺動可能に収納されて設けられ、鋼管建込み時、鋼管８１から拡大孔底部８０Ａに突出しコンクリートＣとの接触面積を増大させる拡開プレート８２により構成したので、異なる部材である鋼管８１とコンクリートＣとが、拡大孔底部８０ＡでコンクリートＣに埋め込まれる拡開プレート８２により一体化し易くなる。
【００４０】
なお、鋼管（支持杭）８１とコンクリートＣとの一体化を図る一体化部は、上記リブ８３と拡開プレート８２とに限られるものではなく、接触面積を増大させ支持力の向上を図るものであればよいことはいうまでもない。
【００４１】
【発明の効果】
以上述べたように、本発明に係る基礎杭によれば、掘削して形成された杭孔内に支持杭を配設して築造される基礎杭において、杭孔の孔底部の径を拡大して形成し、支持杭には、径方向に突出する一体化部を形成し、上記杭孔には拡大孔底部またはこの拡大孔底部より上方の所定の高さまでコンクリートを打設し、支持杭の一体化部が形成された部位を打設されたコンクリートに埋め込み、打設コンクリート上に掘削残土または固化材が添加された掘削残土のうち少なくともいずれか一方を埋め戻したことにより、掘削残土を大幅に減少させ、コストダウンを図ることができる効果がある。
【００４２】
また、本発明に係る基礎杭の築造方法によれば、杭孔を掘削し孔底部を拡大して形成する第１の工程と、この杭孔に拡大孔底部またはこの拡大孔底部より上方の所定の高さまでコンクリートを打設する第２の工程と、所定の部位の内外周面に径方向に突出する一体化部が形成された支持杭を上記杭孔に降ろし、この支持杭の一体化部が形成された部位を、杭孔のコンクリートが打設された位置より下方に配置してコンクリートに埋め込む第３の工程と、杭孔内に掘削残土または固化材が添加された掘削残土のうち少なくともいずれか一方を埋め戻す第４の工程とを備えたことにより、掘削残土を大幅に減少させることができるとともに基礎杭築造に要する作業時間を短縮しコストダウンを図ることができる効果がある。
【図面の簡単な説明】
【図１】（Ａ）ないし（Ｄ）はそれぞれ、本発明の一実施の形態に係る基礎杭の築造工程を順に示す工程図である。
【図２】（Ａ）ないし（Ｃ）はそれぞれ、変形例に係る基礎杭を示す説明図である。
【図３】（Ａ）ないし（Ｄ）はそれぞれ、変形例に係る基礎杭を示す説明図である。
【図４】（Ａ）および（Ｂ）はそれぞれ、一体化部の変形例を示す説明図である。
【図５】（Ａ）ないし（Ｅ）はそれぞれ、従来の基礎杭の築造工程を順に示す工程図である。
【図６】（Ａ）ないし（Ｄ）はそれぞれ、従来の築造方法により築造された基礎杭を示す説明図である。
【符号の説明】
２０　　杭孔
２０Ａ　拡大孔底部
２１　　鋼管（支持杭）
２２Ａ　鋼管下部（一体化部が形成された部位）
２３　　リブ（一体化部）
Ｃ　　　コンクリート
Ｇ　　　掘削残土
Ｇ１　　固化材が添加された掘削残土
【図１】
2004092025.tif 000003
【図２】
2004092025.tif 000004
【図３】
2004092025.tif 000005
【図４】
2004092025.tif 000006
【図５】
2004092025.tif 000007
【図６】
2004092025.tif 000008